【手続補正書】
【提出日】平成19年2月1日(2007.2.1)
【手続補正１】
【補正対象書類名】特許請求の範囲
【補正対象項目名】全文
【補正方法】変更
【補正の内容】
【特許請求の範囲】
【請求項１】
被検体内に導入された撮像装置によって該被検体内の複数の位置で経時的に撮像して得た複数の画像情報を表示手段に表示させるための表示処理装置であって、
前記複数の画像情報を取得する画像情報取得手段と、
前記複数の画像情報のそれぞれに関連づけられ、前記撮像装置が経時的に撮像した前記被検体内でのそれぞれの位置に関する複数の位置情報を取得する位置情報取得手段と、
前記複数の位置情報に基づいて、前記撮像装置が経時的に撮像した前記被検体内での位置を少なくとも１次元の図式として前記表示手段に表示させる位置情報表示手段と、
前記複数の位置情報のうちの少なくとも１つを注目位置情報として指示する注目位置情報指示手段と、
前記図式として表示された前記複数の位置情報のうちで、前記注目位置情報として指示された位置情報に関連づけられた画像情報を前記表示手段に表示させる画像表示手段と、
を有することを特徴とする画像情報の表示処理装置。
【請求項２】
前記位置情報表示手段により前記図式として表示された前記複数の位置情報のうちで、該図式中の前記注目位置情報に対応する位置に所定のマークを表示させる位置マーク表示手段をさらに有することを特徴とする請求項１に記載の画像情報の表示処理装置。
【請求項３】
前記複数の画像情報と前記複数の位置情報とを保存する保存手段をさらに有し、
前記画像表示手段は、前記注目位置情報として指示された位置情報に関連づけられた画像情報を前記保存手段から読み出して前記表示手段に表示させることを特徴とする請求項１又は２に記載の画像情報の表示処理装置。
【請求項４】
前記位置情報表示手段は、位置の図式の属性を変更することを特徴とする請求項１、２、または３に記載の画像情報の表示処理装置。
【請求項５】
前記位置情報表示手段は、位置の図式を注目位置情報に対応する画像の特徴づけに応じて図式の属性を変更することを特徴とする請求項１、２、３または４に記載の画像情報の表示処理装置。
【請求項６】
前記図式の属性とは、図式の形、色であることを特徴とする請求項４または５に記載の画像情報の表示処理装置。
【請求項７】
前記注目位置情報指示手段は、前記位置情報表示手段によって前記図式として表示された前記複数の位置情報の中から、該図式上で任意の位置情報を前記注目位置情報として指定する指定位置入力手段を更に有することを特徴とする請求項１、２、３、４、５または６に記載の画像情報の表示処理装置。
【請求項８】
前記位置情報表示手段は、被験者の体を表す図形内に位置情報を図式として表示する請求項１から７のいずれかに記載の画像情報の表示処理装置。
【請求項９】
前記複数の画像情報の中から所定の特徴部分を有する画像情報を抽出する特徴画像検出手段を更に有し、
前記注目位置情報指示手段は、前記特徴画像検出手段で抽出された前記所定の特徴を有する画像情報に関連づいている位置情報を前記注目位置情報として指示することを特徴とする請求項１から７のいずれかに記載の画像情報の表示処理装置。
【請求項１０】
被検体内の複数の位置で経時的に撮像して得た複数の画像情報をモニタ装置の表示画面上に表示させるための表示処理方法であって、
前記複数の画像情報を取得する画像情報取得工程と、
前記複数の画像情報のそれぞれに関連づけられ、前記被検体内で経時的に撮像されたそれぞれの位置に関する複数の位置情報を取得する位置情報取得工程と、
前記複数の位置情報に基づいて、前記被検体内で経時的に撮像された位置を少なくとも１次元の図式として表示させる位置情報表示工程と、
前記複数の位置情報のうちの少なくとも１つを注目位置情報として指示する注目位置情報指示工程と、
前記図式として表示された前記複数の位置情報のうちで、前記注目位置情報として指示された位置情報に関連づけられた画像情報を表示させる画像表示工程と、
を含むことを特徴とする画像情報の表示処理方法。
【請求項１１】
前記位置情報表示工程により前記図式として表示された前記複数の位置情報のうちで、該図式中の前記注目位置情報に対応する位置に所定のマークを表示させる位置マーク表示工程をさらに有することを特徴とする請求額１０に記載の画像情報の表示処理方法。
【請求項１２】
前記複数の画像情報と前記複数の位置情報とを保存する保存工程をさらに有し、
前記画像表示工程は、前記注目位置情報として指示された位置情報に関連づけられた画像情報を前記保存工程から読み出して前記表示工程に表示させることを特徴とする請求項１０又は１１に記載の画像情報の表示処理方法。
【請求項１３】
前記位置情報表示工程は、位置の図式の属性を変更することを特徴とする請求項１０、１１または１２に記載の画像情報の表示処理方法。
【請求項１４】
前記位置情報表示工程は、位置の図式を注目位置情報に対応する画像の特徴づけに応じて図式の属性を変更することを特徴とする請求項１０、１１、１２または１３に記載の画像情報の表示処理方法。
【請求項１５】
前記図式の属性とは、図式の形、色であることを特徴とする請求項１３または１４に記載の画像情報の表示処理方法。
【請求項１６】
前記注目位置情報指示工程は、前記位置情報表示工程によって前記図式として表示された前記複数の位置情報の中から、該図式上で任意の位置情報を前記注目位置情報として指定する指定位置入力工程を更に有することを特徴とする請求項１０、１１、１２、１３、１４又は１５に記載の画像情報の表示処理方法。
【請求項１７】
前記位置情報表示工程は、被験者の体を表す図形内に位置情報を図式として表示する請求項１０から１６のいずれかに記載の画像情報の表示処理方法。
【請求項１８】
前記複数の画像情報の中から所定の特徴部分を有する画像情報を抽出する特徴画像検出工程を更に有し、
前記注目位置情報指示工程は、前記特徴画像検出工程で抽出された前記所定の特徴を有する画像情報に関連づいている位置情報を前記注目位置情報として指示することを特徴とする請求項１０から１７のいずれかに記載の画像情報の表示処理方法。
【請求項１９】
被検体内の複数の位置で経時的に撮像Lて得た複数の画像情報をコンピュータによってモニタ装置の表示画面上に表示させるための表示処理プログラムであって、
該表示処理プログラムは、
前記複数の画像情報を取得する画像情報取得処理と、
前記複数の画像情報のそれぞれに関連づけられ、前記被検体内で経時的に撮像されたそれぞれの位置に関する複数の位置情報を取得する位置情報取得処理と、
前記複数の位置情報に基づいて、前記被検体内で経時的に撮像された位置を少なくとも１次元の図式として表示させる位置情報表示処理と、
前記複数の位置情報のうちの少なくとも１つを注目位置情報として指示する注目位置情報指示処理と、
前記図式として表示された前記複数の位置情報のうちで、前記注目位置情報として指示された位置情報に関連づけられた画像情報を表示させる画像表示処理と、
を前記コンピュータに実行させることを特徴とする画像情報の表示処理プログラム。
【請求項２０】
前記位置情報表示処理により前記図式として表示された前記複数の位置情報のうちで、該図式中の前記注目位置情報に対応する位置に所定のマークを表示させる位置マーク表示処理をさらに有することを特徴とする請求項１９に記載の画像情報の表示処理プログラム。
【請求項２１】
前記複数の画像情報と前記複数の位置情報とを保存する保存処理をさらに有し、
前記画像表示処理は、前記注目位置情報として指示された位置情報に関連づけられた画像情報を前記保存処理から読み出して前記表示処理に表示させることを特徴とする請求項１９又は２０に記載の画像情報の表示処理プログラム。
【請求項２２】
前記位置情報表示処理は、位置の図式の属性を変更することを特徴とする請求項１９、２０、または２１に記載の画像情報の表示処理方法。
【請求項２３】
前記位置情報表示処理は、位置の図式を注目位置情報に対応する画像の特徴づけに応じて図式の属性を変更することを特徴とする請求項１９、２０、２１または２２に記載の画像情報の表示処理方法。
【請求項２４】
前記図式の属性とは、図式の形、色であることを特徴とする請求項２２または２３に記載の画像情報の表示処理方法。
【請求項２５】
前記注目位置情報指示処理は、前記位置情報表示処理によって前記図式として表示された前記複数の位置情報の中から、該図式上で任意の位置情報を前記注目位置情報として指定する指定位置入力処理を更に有することを特徴とする請求項１９から２４のいずれかに記載の画像情報の表示処理プログラム。
【請求項２６】
前記位置情報表示処理は、被験者の体を表す図形内に位置情報を図式として表示する請求項１９から２５のいずれかに記載の画像情報の表示処理方法。
【請求項２７】
前記複数の画像特報の中から所定の特徴部分を有する画像情報を抽出する特徴画像検出処理を更に有し、
前記注目位置情報指示処理は、前記特徴画像検出処理で抽出された前記所定の特徴を有する画像情報に関連づいている位置情報を前記注目位置情報として指示することを特徴とする請求項１９から２６のいずれかに記載の画像情報の表示処理プログラム。
【手続補正２】
【補正対象書類名】明細書
【補正対象項目名】００９２
【補正方法】変更
【補正の内容】
【００９２】
尚、上述した例では、位置情報としてのカプセル型内視鏡３の通過軌跡３７の表示を、実際の消化管の形状に合わせて３次元的に表示しているが（図では２次元に見えるが実際の表示画面上では消化管の形状に合わせて３次元表示となっている）、これに限ることなく、位置情報としては、平面的に２次元で表示しても良く、また例えば１次元つまり直線で表現してもよい。１次元の場合はその直線上に、図２１(a) に示した食道３１、胃３２、十二指腸３３、小腸３４、大腸３５、直腸３６等に対応する区間を設けて、位置の表示を行えば良い。
通過軌跡３７は、同じくユーザが画像データに与えた特徴に応じて属性を変えて表示しても良い。属性とは図形の形状、色などである。例えば、画像ａに十二指腸の最初の画像、画像ｂに盲腸の最初の画像とユーザが属性をつけた場合、画像ａまでの画像は胃の画像であり、画像ａから画像ｂまでが小腸の画像、画像ｂよりあとが大腸の画像ということになる。胃の通過軌跡３７を黄色、小腸の通過軌跡３７を緑、大腸の通過軌跡３７を青とする。これにより、現在観察している画像の位置と、撮影されている臓器の区別を付けやすくするという効果を奏する。
また、上述した例では、第２の位置マーク４４は特殊画像を抽出し、表示したものとしたが、ユーザが特殊画像として特徴を与えた画像データの位置に対応する通過軌跡３７上に表示してもよい。例えば、ユーザが十二指腸の最初の画像として画像ａに特徴を与えた場合、通過軌跡３７上に第２の位置マーク４４を表示する。特徴の種類に応じて、第２の位置マーク４４の属性（形状、色など）を変更しても良い。これにより、現在観察している臓器の区別を付けやすくするという効果を奏する。